(57)【要約】【課題】発光素子から生じる熱を良好に放熱することができる発光素子支持構造及びこれを備えた原稿搬送装置を提供する。【解決手段】ＬＥＤ基板５２におけるＬＥＤ５１が配列されている面５２Ａとは反対側の面５２Ｂが支持板５３の第１支持部５３１に接するとともに、ＬＥＤ基板５２の端縁を支持板５３の第２支持部５３２により包み込むようにして支持する。これにより、ＬＥＤ基板５２と支持板５３の第１支持部５３１とが離間するのを防止することができるので、支持板５３を介してＬＥＤ５１から生じる熱を良好に放熱することができる。【選択図】  図５
2010130645.tif 000002
【特許請求の範囲】
【請求項１】
複数の発光素子が一直線上に並べて配列された発光基板を支持するための発光素子支持構造であって、
上記発光基板を支持するための支持板を備え、
上記支持板が、上記発光基板における上記発光素子が配列されている面とは反対側の面に接する第１支持部と、上記第１支持部における上記発光素子の配列方向に対して直交方向の一方の端縁から突出し、上記発光基板の端縁を包み込むように支持する第２支持部とを備えたことを特徴とする発光素子支持構造。
【請求項２】
上記発光基板における上記発光素子が配列されている面と、上記第１支持部における上記発光基板側とは反対側の面とに接し、上記第１支持部における上記第２支持部側とは反対側の端縁と、上記発光基板における上記第２支持部側とは反対側の端縁とを挟み込んで固定するための板ばねを備えたことを特徴とする請求項１に記載の発光素子支持構造。
【請求項３】
上記第１支持部と上記第２支持部との接合部には、上記発光基板を位置決めするための位置決め孔が形成されており、
上記発光基板には、上記位置決め孔に挿入される位置決め突起が形成されていることを特徴とする請求項１又は２に記載の発光素子支持構造。
【請求項４】
上記支持板が、上記第１支持部における上記第２支持部側とは反対側の端縁から上記発光基板側とは反対方向に突出する第３支持部を備え、
上記支持板が、上記第３支持部を介して所定の取付位置に取り付けられることを特徴とする請求項１〜３のいずれかに記載の発光素子支持構造。
【請求項５】
搬送路に沿って原稿を搬送するための原稿搬送装置であって、
請求項１〜４のいずれかに記載の発光素子支持構造と、
上記発光素子支持構造により支持され、上記搬送路に向けて光を照射する複数の発光素子が一直線上に並べて配列された発光基板と、
上記搬送路に沿って搬送される原稿からの反射光を受光する受光部とを備えたことを特徴とする原稿搬送装置。
【請求項６】
上記支持板が取り付けられる金属板を備え、
上記金属板の一部が上記搬送路を形成していることを特徴とする請求項５に記載の原稿搬送装置。
【発明の詳細な説明】
【技術分野】
【０００１】
本発明は、複数の発光素子が一直線上に並べて配列された発光基板を支持するための発光素子支持構造及びこれを備えた原稿搬送装置に関するものである。
【背景技術】
【０００２】
通常、原稿の画像を読み取るための原稿読取部には、原稿に向けて光を照射するための発光部と、原稿からの反射光を受光するための受光部とが備えられている。従来、上記発光部としては、希ガス蛍光管ランプなどの円筒状ガラス管を有する構成が一般的であったが、最近では、ＬＥＤ(Light-Emitting Diode)を発光素子として用いた構成も知られている（例えば、下記特許文献１参照）。
【０００３】
ＬＥＤを発光素子として用いた場合、例えば複数のＬＥＤをＬＥＤ基板（発光基板）上に配列し、当該ＬＥＤ基板を所定の取付位置に固定することにより、各ＬＥＤから原稿に光を照射することができる。この場合、一般的な取付態様としては、ＬＥＤ基板に複数の貫通孔を形成し、これらの貫通孔にそれぞれねじを挿入して固定するといった態様が考えられる。
【０００４】
【特許文献１】特開２０００−２６１６１１号公報
【発明の開示】
【発明が解決しようとする課題】
【０００５】
しかしながら、上記のように複数のねじを用いてＬＥＤ基板を固定する場合には、ＬＥＤ基板に複数の貫通孔を形成しなければならないため、ＬＥＤをより高密度で配列することが困難になる場合がある。特に、原稿を高速で読取可能な構成を採用する場合には、ＬＥＤによる照度を高くするために、ＬＥＤをより高密度に配列する必要がある。そのため、上記のようなねじを用いた構成では、ＬＥＤによる十分な照度が得られず、原稿の画像を良好に読み取ることができないおそれがある。
【０００６】
上記特許文献１には、クリップを用いてＬＥＤ基板を取り付けるような構成が開示されている。しかし、このような構成であっても、ＬＥＤ基板が熱変形した場合などには、ＬＥＤ基板と、当該ＬＥＤ基板が取り付けられる取付面とが離間しやすいため、ＬＥＤから生じる熱を上記取付面を介して良好に放熱することができないおそれがある。
【０００７】
本発明は、上記実情に鑑みてなされたものであり、発光素子から生じる熱を良好に放熱することができる発光素子支持構造及びこれを備えた原稿搬送装置を提供することを目的とする。また、本発明は、発光素子をより高密度で配列することができる発光素子支持構造及びこれを備えた原稿搬送装置を提供することを目的とする。
【課題を解決するための手段】
【０００８】
第１の本発明に係る発光素子支持構造は、複数の発光素子が一直線上に並べて配列された発光基板を支持するための発光素子支持構造であって、上記発光基板を支持するための支持板を備え、上記支持板が、上記発光基板における上記発光素子が配列されている面とは反対側の面に接する第１支持部と、上記第１支持部における上記発光素子の配列方向に対して直交方向の一方の端縁から突出し、上記発光基板の端縁を包み込むように支持する第２支持部とを備えたことを特徴とする。
【０００９】
このような構成によれば、発光基板における発光素子が配列されている面とは反対側の面が支持板の第１支持部に接した状態で、発光基板の端縁を支持板の第２支持部により包み込むようにして支持することができる。これにより、発光基板と支持板の第１支持部とが離間するのを防止することができるので、支持板を介して発光素子から生じる熱を良好に放熱することができる。また、ねじを貫通孔に挿入して固定するような構成を採用せずに発光基板を固定することができるので、発光基板に発光素子をより高密度で配列することができる。
【００１０】
第２の本発明に係る発光素子支持構造は、上記発光基板における上記発光素子が配列されている面と、上記第１支持部における上記発光基板側とは反対側の面とに接し、上記第１支持部における上記第２支持部側とは反対側の端縁と、上記発光基板における上記第２支持部側とは反対側の端縁とを挟み込んで固定するための板ばねを備えたことを特徴とする。
【００１１】
このような構成によれば、発光基板における第２支持部側とは反対側の端縁を第１支持部とともに板ばねで挟み込んで固定することにより、発光基板における発光素子が配列されている面とは反対側の面を第１支持部により密着させることができる。したがって、支持板を介して発光素子から生じる熱をより良好に放熱することができる。また、発光基板又は支持板が熱変形した場合などであっても、板ばねのばね性によってその変形を吸収することができるので、発光基板と支持板との間にがたつきが生じるのを防止することができる。
【００１２】
第３の本発明に係る発光素子支持構造は、上記第１支持部と上記第２支持部との接合部には、上記発光基板を位置決めするための位置決め孔が形成されており、上記発光基板には、上記位置決め孔に挿入される位置決め突起が形成されていることを特徴とする。
【００１３】
このような構成によれば、支持板における第１支持部と第２支持部との接合部に形成された位置決め孔に、発光基板に形成されている位置決め突起を挿入することにより、発光基板を良好に位置決めすることができる。これにより、支持板に対する発光基板のがたつきをより効果的に防止することができる。
【００１４】
第４の本発明に係る発光素子支持構造は、上記支持板が、上記第１支持部における上記第２支持部側とは反対側の端縁から上記発光基板側とは反対方向に突出する第３支持部を備え、上記支持板が、上記第３支持部を介して所定の取付位置に取り付けられることを特徴とする。
【００１５】
このような構成によれば、第３支持部を介して支持板を所定の取付位置に取り付けることにより、照射対象に発光素子をより近づけた状態で発光基板を固定することができる。これにより、発光素子による照度をより高くすることができるので、例えば原稿を高速で読取可能な構成を採用する場合などであっても、原稿の画像を良好に読み取ることができる。
【００１６】
第５の本発明に係る原稿搬送装置は、搬送路に沿って原稿を搬送するための原稿搬送装置であって、上記発光素子支持構造と、上記発光素子支持構造により支持され、上記搬送路に向けて光を照射する複数の発光素子が一直線上に並べて配列された発光基板と、上記搬送路に沿って搬送される原稿からの反射光を受光する受光部とを備えたことを特徴とする。
【００１７】
このような構成によれば、上記発光素子支持構造による効果と同様の効果を奏する原稿搬送装置を提供することができる。
【００１８】
第６の本発明に係る原稿搬送装置は、上記支持板が取り付けられる金属板を備え、上記金属板の一部が上記搬送路を形成していることを特徴とする。
【００１９】
このような構成によれば、発光基板から支持板に伝わった熱を、当該支持板が取り付けられた金属板を介して、当該金属板の一部から搬送路内に放熱することができる。特に、上記金属板の一部は搬送路を形成しているため、当該金属板の一部に接触する搬送中の原稿を介してより効果的に放熱することができる。
【発明の効果】
【００２０】
本発明によれば、発光基板と支持板の第１支持部とが離間するのを防止することができるので、支持板を介して発光素子から生じる熱を良好に放熱することができる。また、ねじを貫通孔に挿入して固定するような構成を採用せずに発光基板を固定することができるので、発光基板に発光素子をより高密度で配列することができる。
【発明を実施するための最良の形態】
【００２１】
図１は、本発明の一実施形態に係る発光素子支持構造が適用された原稿読取装置１の内部構成を示した概略断面図である。この原稿読取装置１は、ＡＤＦ２及び原稿読取部３を備えており、例えば複写機などの画像形成装置に適用される。
【００２２】
ＡＤＦ２は、原稿トレイ２１を備えており、当該原稿トレイ２１上に１枚の原稿を置き、又は、２枚以上の原稿を積層した状態で置くことができるようになっている。ＡＤＦ２は、ピックアップローラ２２、及び、分離ローラ２３と図示しない分離パッドにより、原稿トレイ２１上に置かれた原稿を１枚ずつ送り出す。送り出された原稿は、複数の原稿搬送ローラ２４により搬送路２５内を搬送され、当該搬送路２５の途中に位置する読取位置Ａにおいて、その第１面（表面）の画像が原稿読取部３により読み取られる。すなわち、ＡＤＦ２は、原稿の第１面の画像を読み取るための原稿読取部３に対して、原稿を自動的に供給するための原稿供給装置を構成している。なお、原稿の第１面とは、原稿トレイ２１上で上側の面をいう。
【００２３】
原稿読取部３には、発光部３１、反射板３２、集光レンズ３３及び受光部３４などが備えられている。発光部３１から読取位置Ａに向けて照射された光は、当該読取位置Ａにおいて原稿の第１面で反射し、その原稿からの反射光が複数の反射板３２で反射されて、集光レンズ３３に導かれる。そして、当該反射光が集光レンズ３３により集光され、受光部３４で受光されることにより、原稿の第１面の画像が読み取られる。
【００２４】
本実施形態における原稿読取部３には、いわゆるＣＣＤ方式の縮小光学系が採用され、受光部３４には、複数のＣＣＤ(Charge Coupled Devices)が、原稿の搬送方向に対して直交する水平方向である主走査方向に並べて配置されている。この原稿読取部３には、ＡＤＦ２により搬送される原稿を発光部３１及び反射板３２が静止した状態で読み取る静止読取領域と、ガラス板３５上に置かれた原稿に対して発光部３１及び反射板３２が移動しながら原稿を読み取る移動読取領域とが設定されている。
【００２５】
図１では、発光部３１が読取位置Ａの下方に形成された静止読取領域に静止し、ＡＤＦ２により１枚ずつ搬送される原稿の画像を読み取る状態が示されている。この静止読取領域で原稿を読み取る場合には、受光部３４の各ＣＣＤで原稿からの反射光を受光することにより主走査が行われるとともに、読取位置Ａを原稿が通過することにより副走査が行われる。一方、ガラス板３５上に原稿を置いて読み取る場合には、発光部３１及び反射板３２がガラス板３５の下方に形成された移動読取領域を移動する。この移動読取領域で原稿を読み取る場合には、受光部３４の各ＣＣＤで原稿からの反射光を受光することにより主走査が行われるとともに、発光部３１及び反射板３２が主走査方向に直交する水平方向（副走査方向）に移動することにより副走査が行われる。
【００２６】
ＡＤＦ２内には、原稿の原稿トレイ２ａ上で下側の面である第２面（裏面）の画像を読み取るための原稿読取部４が設けられている。この原稿読取部４は、上述の原稿読取部３と同様にＣＣＤ方式の縮小光学系が採用されることにより、発光部、反射板、集光レンズ及び受光部が備えられ、搬送路２５の途中に位置する読取位置Ｂにおいて、原稿の第２面の画像を読み取る。すなわち、上記受光部で原稿からの反射光を受光することにより主走査が行われるとともに、読取位置Ｂを原稿が通過することにより副走査が行われる。図１では、読取位置Ｂが読取位置Ａよりも下流側に設定された構成が示されているが、このような構成に限らず、読取位置Ｂが読取位置Ａよりも上流側に設定されていてもよいし、各読取位置Ａ，Ｂが同じ位置に設定されていてもよい。
【００２７】
ＡＤＦ２を用いて原稿の画像を読み取る際には、搬送路２５に沿って原稿を搬送する過程で、読取位置Ａにおいて原稿の第１面の画像を原稿読取部３で読み取るとともに、読取位置Ｂにおいて原稿の第２面の画像を原稿読取部４で並行して読み取ることができる。このようにして両面の画像が読み取られた原稿は、排出ローラ２６から排出トレイ２７上に排出される。
【００２８】
原稿読取部３は、筐体５内に収容されており、当該筐体５の上面に上記ガラス板３５が形成されている。筐体５の上面には、閉状態でガラス板３５全体を覆う開閉カバー６が、上下方向に開閉可能に取り付けられている。当該開閉カバー６の上面には上記排出トレイ２７が形成されており、当該排出トレイ２７の上方に原稿トレイ２１が設けられている。ＡＤＦ２は、開閉カバー６における左右方向（副走査方向）の一端部に設けられている。
【００２９】
ＡＤＦ２を使用する場合には、開閉カバー６が図１に示すような閉状態とされ、この状態で原稿トレイ２１上に置かれた原稿が１枚ずつ原稿読取部３に供給される。一方、ＡＤＦ２を使用しない場合、すなわちガラス板３５上に原稿を置いて読み取らせる場合には、開閉カバー６を開いた状態でガラス板３５上に原稿を置いた後、開閉カバー６を閉じることにより、原稿が開閉カバー６とガラス板３５との間に挟まれた状態で読み取られる。
【００３０】
図２は、原稿読取部４の外観構成を示した平面図である。図３は、図２におけるＡ−Ａ断面を示した断面図である。原稿読取部４は、樹脂製のケーシング４０を備えており、当該ケーシング４０内に、発光部４１、アルミシート又はミラーなどからなる複数の反射板４２〜４６、集光レンズ４７及び受光部４８が備えられている。図２に示すように、原稿読取部４は、平面視で略矩形形状に形成され、その長手方向が主走査方向に沿って延びている。また、発光部４１、複数の反射板４２〜４６、集光レンズ４７及び受光部４８は、それぞれ主走査方向に沿って長尺形状を有している。
【００３１】
発光部４１には、発光素子としてのＬＥＤ(Light-Emitting Diode)５１が主走査方向に沿って一直線上に並べて複数配列されたＬＥＤ基板（発光基板）５２と、当該ＬＥＤ基板５２を支持するための支持板５３とを含む発光素子支持構造が備えられている。支持板５３は、ケーシング４０に取り付けられた金属板５４に固定されている。
【００３２】
本実施形態では、ケーシング４０の下面が搬送路２５を形成しており、当該ケーシング４０の下面に沿って原稿が搬送されるようになっている。ケーシング４０の下面におけるＬＥＤ５１に対向する位置には開口が形成され、当該開口内に透明板４９が設けられている。これにより、ＬＥＤ５１からの光が、透明板４９を介して搬送路２５内の読取位置Ｂに照射されるようになっている。上記金属板５４は、屈曲形成されることによりその一部５５がケーシング４０の下面まで張り出しており、当該一部５５が搬送路２５を形成している。
【００３３】
反射板４２は、発光部４１に対向するように設けられ、ＬＥＤ５１からの照射光を透明板４９側に反射させる。これにより、ＬＥＤ５１から透明板４９を介して読取位置Ｂに直接照射される光だけでなく、ＬＥＤ５１から反射板４２側に向かう光も当該反射板４２で反射させて読取位置Ｂに導くことができるので、読取位置Ｂにおける照度を向上することができる。
【００３４】
ＬＥＤ５１及び反射板４２により読取位置Ｂに照射された光は、搬送路２５に沿って搬送される原稿の第２面で反射し、透明板４９を介して、当該透明板４９に対向する位置に設けられた反射板４３に入射する。反射板４３に入射した光は、当該反射板４３で反射した後、反射板４４，４５，４６の順序で反射し、集光レンズ４７に導かれる。そして、当該反射光が集光レンズ４７により集光され、受光部４８で受光されることにより、原稿の第２面の画像が読み取られる。受光部４８は、原稿読取部３と同様に、複数のＣＣＤを含むような構成であってもよい。
【００３５】
図４は、発光部４１の構成を示した斜視図である。図５は、金属板５４に取り付けられた発光部４１の断面図である。図６は、支持板５３の一部を示した斜視図である。図４〜図６に示すように、支持板５３は、金属板が屈曲形成されることにより、第１支持部５３１、第２支持部５３２及び第３支持部５３３が一体的に形成された構成を有している。支持板５３を形成する材料は、熱伝導性がより高い金属であることが好ましく、この例ではアルミニウムにより支持板５３が形成されている。
【００３６】
第１支持部５３１は、ＬＥＤ基板５２におけるＬＥＤ５１が配列されている面（以下、「第１面５２Ａ」と呼ぶ。）とは反対側の面（以下、「第２面５２Ｂ」と呼ぶ。）に接している。これにより、各ＬＥＤ５１から発生する熱をＬＥＤ基板５２を介して第１支持部５３１に伝えることができる。この場合、ＬＥＤ基板５２の第２面５２Ｂにおける第１支持部５３１との接触部に、例えば銅などの熱伝導性が高い材料により形成された金属層を設けることにより、ＬＥＤ基板５２から第１支持部５３１に効率よく熱を伝えることができる。
【００３７】
第２支持部５３２は、第１支持部５３１におけるＬＥＤ５１の配列方向Ｘに対して直交方向Ｙの一方の端縁から突出するように形成されている。この例では、第２支持部５３２は、ＬＥＤ基板５２の長手方向（ＬＥＤ５１の配列方向Ｘ）における一端部から他端部まで対向するように延びており、対向するＬＥＤ基板５２の端縁のほぼ全体にわたって接している。また、第２支持部５３２は、第１支持部５３１との間で鋭角を形成する角度で突出しており、これにより、対向するＬＥＤ基板５２の端縁を第１支持部５３１と第２支持部５３２との間に包み込むように支持することができるようになっている。ただし、第２支持部５３２の構成は、ＬＥＤ基板５２の端縁を包み込むように支持する構成であれば、他の各種構成を採用することができる。
【００３８】
第１支持部５３１と第２支持部５３２との接合部には、複数の位置決め孔５３４が形成されている。これらの位置決め孔５３４は、ＬＥＤ基板５２を位置決めするための貫通孔であり、対向するＬＥＤ基板５２の端縁には、各位置決め孔５３４に挿入される位置決め突起５２１が形成されている。各位置決め孔５３４は、ＬＥＤ５１の配列方向Ｘに沿って等間隔で形成されることが好ましい。この例では、支持板５３に５つの位置決め孔５３４が形成された構成が示されているが、このような構成に限らず、位置決め孔５３４の数は１〜４つであってもよいし、６つ以上であってもよい。
【００３９】
第３支持部５３３は、第１支持部５３１における第２支持部５３２側とは反対側の端縁からＬＥＤ基板５２側とは反対方向に突出している。これにより、支持板５３は、略Ｚ字形状又は略Ｓ字形状の断面を有する構成となっている。第３支持部５３３には、複数の貫通孔５３３Ａが形成されている。第３支持部５３３は、原稿読取部４内に設けられた上述の金属板５４に接しており、当該金属板５４には、各貫通孔５３３Ａに対向する位置にそれぞれ貫通孔５４Ａが形成されている。各貫通孔５３３Ａ及び対応する貫通孔５４Ａには、それぞれボルト５６が挿通され、各ボルト５６にナット５７が締め付けられることにより、支持板５３が金属板５４に対して固定されている。
【００４０】
各ボルト５６及びナット５７は、その間にワッシャー５８を挟んだ状態で互いに締め付けられる。このワッシャー５８は、例えば略Ｃ字形状からなる円弧状に形成され、その両端部が中心軸線方向の異なる位置に存在するように形成されることにより、上記中心軸線方向に伸縮可能なばね性を有している。したがって、支持板５３又は金属板５４が熱変形した場合などであっても、ワッシャー５８のばね性によってその変形を吸収することができるので、支持板５３と金属板５４との間にがたつきが生じるのを防止することができる。
【００４１】
第１支持部５３１と第３支持部５３３との接合部には、複数の開口部５３５が形成されており、各開口部５３５の周縁部から上記直交方向Ｙに突出する取付部５３６が形成されている。これらの取付部５３６は、第１支持部５３１と同一面内に延びており、当該第１支持部５３１の一部を構成している。各取付部５３６は、ＬＥＤ基板５２の第２面５２Ｂにおける第２支持部５３２側とは反対側の端部に接している。
【００４２】
各取付部５３６には、ＬＥＤ基板５２の第１面５２Ａと、第１支持部５３１におけるＬＥＤ基板５２側とは反対側の面５３１Ｂとに接する板ばね６０が取り付けられている。各板ばね６０は、第１支持部５３１における第２支持部５３２側とは反対側の端縁と、ＬＥＤ基板５２における第２支持部５３２側とは反対側の端縁とを挟み込んで固定する。
【００４３】
図７は、板ばね６０の構成を示した斜視図である。板ばね６０は、金属板が屈曲形成されることにより形成され、ＬＥＤ基板５２の第１面５２Ａに接する第１折曲部６１と、第１支持部５３１の面５３１Ｂに接する第２折曲部６２と、上記第１折曲部６１及び第２折曲部６２の各端部を連結する第３折曲部６３とを有している。
【００４４】
第１折曲部６１及び第２折曲部６２は、第３折曲部６３から遠ざかるほど互いに近接するように形成されており、図５に示すように第１支持部５３１及びＬＥＤ基板５２を挟み込んだ状態では、それぞれ弾性変形することによって互いに平行になる。すなわち、第１折曲部６１及び第２折曲部６２は、第３折曲部６３に対して弾性変形可能となっており、互いに所定の押圧力で第１支持部５３１及びＬＥＤ基板５２を挟持することができるようになっている。
【００４５】
第２折曲部６２は、支持板５３の各取付部５３６よりも上記直交方向Ｙに長い形状を有しており、板ばね６０を取り付ける際には、当該第２折曲部６２が支持板５３の開口部５３５に挿入されるようにして第１支持部５３１の面５３１Ｂに接する。第２折曲部６２における第３折曲部６３側とは反対側の端部は、外側（第１折曲部６１に対して遠ざかる側）に屈曲されており、これにより、板ばね６０の取付時に第２折曲部６２を第１支持部５３１の面５３１Ｂに沿ってスライドさせやすくなっている。
【００４６】
第２折曲部６２における取付部５３６に対向する位置には、取付部５３６側に突出するように突出部６４が形成されている。図６に示すように、支持板５３の各取付部５３６には取付孔５３７が形成されており、各板ばね６０が取り付けられた状態では、各板ばね６０の突出部６４が対応する取付部５３６の取付孔５３７に引っ掛かるようになっている。これにより、第１支持部５３１及びＬＥＤ基板５２を挟持する板ばね６０が、容易に外れてしまうのを防止することができる。
【００４７】
第１折曲部６１は、上記直交方向Ｙの長さが第２折曲部６２よりも短く形成され、第３折曲部６３側とは反対側の端部が、外側（第２折曲部６２に対して遠ざかる側）に屈曲されている。これにより、板ばね６０を取り外す際には、当該第３折曲部６３の屈曲部を操作することによって、板ばね６０を容易に取り外すことができるようになっている。
【００４８】
各板ばね６０、並びに、各板ばね６０に対応する開口部５３５及び取付部５３６は、ＬＥＤ５１の配列方向Ｘに沿って等間隔で形成されることが好ましい。この例では、板ばね６０、開口部５３５及び取付部５３６が、それぞれ４つずつ設けられた構成が示されているが、このような構成に限らず、それぞれの数は１〜３つであってもよいし、５つ以上であってもよい。
【００４９】
本実施形態では、ＬＥＤ基板５２の第２面５２Ｂが支持板５３の第１支持部５３１に接した状態で、ＬＥＤ基板５２の端縁を支持板５３の第２支持部５３２により包み込むようにして支持することができる。これにより、ＬＥＤ基板５２と支持板５３の第１支持部５３１とが離間するのを防止することができるので、支持板５３を介してＬＥＤ５１から生じる熱を良好に放熱することができる。また、ねじを貫通孔に挿入して固定するような構成を採用せずにＬＥＤ基板５２を固定することができるので、ＬＥＤ基板５２にＬＥＤ５１をより高密度で配列することができる。
【００５０】
特に、本実施形態では、ＬＥＤ基板５２における第２支持部５３２側とは反対側の端縁を第１支持部５３１とともに板ばね６０で挟み込んで固定することにより、ＬＥＤ基板５２の第２面５２Ｂを第１支持部５３１により密着させることができる。したがって、支持板５３を介してＬＥＤ５１から生じる熱をより良好に放熱することができる。また、ＬＥＤ基板５２又は支持板５３が熱変形した場合などであっても、板ばね６０のばね性によってその変形を吸収することができるので、ＬＥＤ基板５２と支持板５３との間にがたつきが生じるのを防止することができる。
【００５１】
また、本実施形態では、支持板５３における第１支持部５３１と第２支持部５３２との接合部に形成された位置決め孔５３４に、ＬＥＤ基板５２に形成されている位置決め突起５２１を挿入することにより、ＬＥＤ基板５２を良好に位置決めすることができる。これにより、支持板５３に対するＬＥＤ基板５２のがたつきをより効果的に防止することができる。
【００５２】
また、本実施形態では、支持板５３が、第１支持部５３１における第２支持部５３２側とは反対側の端縁からＬＥＤ基板５２側とは反対方向に突出する第３支持部５３３を介して、金属板５４に取り付けられるようになっている。これにより、照射対象にＬＥＤ５１をより近づけた状態でＬＥＤ基板５２を固定することができ、ＬＥＤ５１による照度をより高くすることができるので、例えば原稿を高速で読取可能な構成を採用する場合などであっても、原稿の画像を良好に読み取ることができる。
【００５３】
また、本実施形態では、ＬＥＤ基板５２から支持板５３に伝わった熱を、当該支持板５３が取り付けられた金属板５４を介して、当該金属板５４の一部５５から搬送路２５内に放熱することができる。特に、上記金属板５４の一部５５は搬送路２５を形成しているため、当該金属板５４の一部５５に接触する搬送中の原稿を介してより効果的に放熱することができる。
【００５４】
以上の実施形態では、ＬＥＤ５１を支持するための発光素子支持構造が、原稿の第２面の画像を読み取るための原稿読取部４に設けられた構成について説明した。しかし、このような構成に限らず、本発明に係る発光素子支持構造が、原稿の第１面の画像を読み取るための原稿読取部３などの他の位置に設けられた構成であってもよい。また、本発明に係る発光素子支持構造は、ＡＤＦ２以外の部分に設けることも可能である。
【図面の簡単な説明】
【００５５】
【図１】本発明の一実施形態に係る発光素子支持構造が適用された原稿読取装置の内部構成を示した概略断面図である。
【図２】原稿読取部の外観構成を示した平面図である。
【図３】図２におけるＡ−Ａ断面を示した断面図である。
【図４】発光部の構成を示した斜視図である。
【図５】金属板に取り付けられた発光部の断面図である。
【図６】支持板の一部を示した斜視図である。
【図７】板ばねの構成を示した斜視図である。
【符号の説明】
【００５６】
１    原稿読取装置
２    ＡＤＦ
４    原稿読取部
４１    発光部
５１    ＬＥＤ
５２    ＬＥＤ基板
５２Ａ  第１面
５２Ｂ  第２面
５３    支持板
５４    金属板
５５    金属板の一部
６０    板ばね
５２１    突起
５３１    第１支持部
５３２    第２支持部
５３３    第３支持部
５３４    位置決め孔
５３５    開口部
５３６    取付部
５３７    取付孔
【図１】
2010130645.tif 000003
【図２】
2010130645.tif 000004
【図３】
2010130645.tif 000005
【図４】
2010130645.tif 000006
【図５】
2010130645.tif 000007
【図６】
2010130645.tif 000008
【図７】
2010130645.tif 000009